(57)【要約】【課題】携帯機器を載置部から簡単に且つ安全に取り外すことができる。【解決手段】携帯端末機が搭載される載置台２と、携帯端末機の両側面に対向して載置台２にそれぞれ独立して設けられ、携帯端末機を片手で掴む動作によって解除操作される一対の解除レバー３０と、携帯端末機をその両側からそれぞれ独立して係脱可能に係止すると共に、一対の解除レバー３０の解除動作によって携帯端末機の係止を解除する一対のフック部３１とを備えた。従って、取外し時に、一対の解除レバー３０が対向する個所の携帯端末機を片手で掴む動作によって一対の解除レバー３０を解除操作でき、これにより一対のフック部３１が携帯端末機の係止を解除するので、携帯端末機を片手で掴む一連の自然な動作で容易に携帯端末機のロックを解除して片手で携帯端末機を掴んで安全に取り外すことができ、且つ解除レバーの誤操作による携帯端末機の離脱を防止できる。【選択図】　　　　図３
0003097454.tif 000002
【実用新案登録請求の範囲】
【請求項１】
携帯機器が搭載される載置部と、
この載置部に載置された前記携帯機器の両側面に対向して前記載置部にそれぞれ独立して設けられ、前記携帯機器を片手で掴む動作によって解除操作される一対の解除レバーと、
前記載置部に載置された前記携帯機器をそれぞれ独立して係脱可能に係止すると共に、前記一対の解除レバーの解除動作によって前記携帯機器に対する係止をそれぞれ解除する一対のフック部と
を備えたことを特徴する携帯機器用載置装置。
【請求項２】
前記一対の解除レバーをその解除動作と反対方向にそれぞれ付勢する一対の第１弾性付勢片と、前記一対のフック部をその係止方向にそれぞれ付勢する一対の第２弾性付勢片とを有し、これら第１、第２弾性付勢片を１枚の金属板で一体に形成した付勢部材を備えたことを特徴する請求項１に記載の携帯機器用載置装置。
【請求項３】
前記携帯機器を前記載置部から離脱させる方向に付勢する押出部材を備えたことを特徴する請求項１または２に記載の携帯機器用載置装置。
【考案の詳細な説明】
【０００１】
【考案の属する技術分野】
この考案は、携帯端末機や携帯電話機などの携帯機器を載置する携帯機器用載置装置に関する。
【０００２】
【従来の技術】
従来、携帯機器である携帯電話機を載置する携帯機器用載置装置には、携帯電話機を載置する装置本体に固定フックと可動フックとを設け、この固定フックと可動フックとによって携帯電話機を係脱可能に係止して、携帯電話機を装置本体に固定するように構成したものがある（例えば、特許文献１参照。）。
【０００３】
【特許文献１】
特開平６−６４３４号公報
【０００４】
この特許文献１の携帯機器用載置装置では、装置本体に携帯電話機を載置するときに、携帯電話機の一端部を固定フックと可動フックとのいずれか一方に係止させ、この状態で携帯電話機を装置本体に押し付けると、可動フックが可動して携帯電話機の他端部が固定フックと可動フックとのいずれか他方に係止されるので、簡単に携帯電話機を固定フックと可動フックとによって装置本体に固定することができる。
【０００５】
【考案が解決しようとする課題】
しかしながら、このような携帯機器用載置装置では、簡単に携帯電話機を固定フックと可動フックとによって装置本体に固定することができても、携帯電話機を装置本体から取り外すときに、携帯電話機を手で掴み、この状態で携帯電話機を可動フック側に向けて移動させなければ、携帯電話機に対する固定フックの係止を解除することができないため、携帯電話機の取外し操作が面倒であるという問題がある。
【０００６】
この考案の課題は、携帯機器を載置部に固定することができると共に、携帯機器を載置部から簡単に且つ安全に取り外すことができるようにすることである。
【０００７】
【課題を解決するための手段】
この考案は、上記課題を解決するために、次のような構成要素を備えている。なお、各構成要素には、後述する各実施形態の項で説明される各要素に付されている図面の参照番号などを括弧と共に付す。
請求項１に記載の考案は、図１〜図１２に示すように、携帯機器（携帯端末機１）が搭載される載置部（載置台２）と、この載置部に載置された前記携帯機器の両側面に対向して前記載置部にそれぞれ独立して設けられ、前記携帯機器を片手で掴む動作によって解除操作される一対の解除レバー（３０）と、前記載置部に載置された前記携帯機器をそれぞれ独立して係脱可能に係止すると共に、前記一対の解除レバーの解除動作によって前記携帯機器に対する係止をそれぞれ解除する一対のフック部（３１）とを備えたことを特徴する携帯機器用載置装置である。
【０００８】
この考案によれば、携帯機器が載置部に載置されると、一対のフックが携帯機器を係脱可能に係止するので、携帯機器を確実に載置部に固定することができる。この状態で、携帯機器を載置部から取り外すときには、一対の解除レバーが互いに対向する個所で携帯機器を片手で掴む動作をすると、その動作に伴って手の指が自然に一対の解除レバーに触れるので、一対の解除レバーを解除操作することができると共に、この一対の解除レバーの解除操作によって一対のフック部が携帯機器に対する係止を解除するので、携帯機器を片手で掴む一連の自然な動作によって容易に携帯機器のロックを解除して片手で携帯機器を掴むことができ、これにより携帯機器を載置部から簡単に且つ安全に取り外すことができる。
【０００９】
この場合、特に一対の解除レバーがそれぞれ独立して載置部に設けられていると共に、一対のフック部もそれぞれ独立して携帯機器を係脱可能に係止するので、一対の解除レバーのうち、一方の解除レバーが解除操作されても、一対のフック部のうち、一方のフック部のみが携帯機器に対する係止を解除するが、他方の解除レバーが動作しないため、他方のフック部が携帯機器を係止した状態を維持することができ、このため一対の解除レバーの一方が誤って解除操作されても、携帯機器が載置部から離脱する誤動作を防止することができ、これにより安全性の高いものを得ることができる。
【００１０】
請求項２に記載の考案は、図１〜図１２に示すように、前記一対の解除レバー（３０）をその解除動作と反対方向にそれぞれ付勢する一対の第１弾性付勢片（４４）と、前記一対のフック部（３１）をその係止方向にそれぞれ付勢する一対の第２弾性付勢片（４５）とを有し、これら第１、第２弾性付勢片を１枚の金属板で一体に形成した付勢部材（板ばね４３）を備えたことを特徴する請求項１に記載の携帯機器用載置装置である。
この考案によれば、付勢部材が、一対の解除レバーをその解除動作と反対方向に向けてそれぞれ付勢する一対の第１弾性付勢片と、一対のフック部をその係止方向にそれぞれ付勢する一対の第２弾性付勢片とを１枚の金属板に一体に形成したので、一対の解除レバーおよび一対のフック部をそれぞれ別部品で弾性的に付勢する構造に比べて、部品点数を削減することができるほか、特に付勢部材が１枚の金属板で構成されているので、組み立て作業が容易にでき、生産性が良く、低価格化をも図ることができる。
【００１１】
請求項３に記載の考案は、図１〜図１２に示すように、前記携帯機器（携帯端末機１）を前記載置部（載置台２）から離脱させる方向に付勢する押出部材（３２）を備えたことを特徴する請求項１または２に記載の携帯機器用載置装置である。
この考案によれば、一対の解除レバーが互いに対向する個所で携帯機器を片手で掴む動作によって、一対の解除レバーを解除操作して一対のフック部による携帯機器の係止を解除すると、押出部材によって携帯機器が載置部から離脱する方向に押し出されて掌に飛び込むので、携帯機器を片手で掴む一連の自然な動作によって携帯機器のロックを解除したときに、携帯機器を確実に掴むことができ、これによっても携帯機器を容易に且つ安全に取り外すことができる。
【００１２】
【考案の実施の形態】
以下、図１〜図１２を参照して、この考案の携帯機器用載置装置の一実施形態について説明する。
図１はこの考案の携帯機器用載置装置に携帯機器である携帯端末機を載置した状態を示した斜視図、図２はその携帯端末機の斜視図、図３はその携帯端末機を取り外した状態の携帯機器用載置装置を示した斜視図である。
この携帯機器用載置装置は、図１に示すように、携帯端末機１を着脱可能に載置する載置台２を備えている。この載置台２は、図３に示すように、携帯端末機１を電気的に接続した状態で載置する第１載置部材３と、この第１載置部材３に取り付けられて携帯端末機１を着脱可能に固定する第２載置部材４とで構成されている。
【００１３】
携帯端末機１は、図２に示すように、ほぼ羽子板状の機器ケース５を有し、この機器ケース５の表面に表示部６とキー入力部７とが設けられ、裏面に光学読取部８が突出して設けられ、手前側の下端面に機器側接続部９が設けられた構成になっている。この場合、表示部６は、液晶表示素子やＥＬ表示素子（エレクトロルミネッセンス表示素子）などの平面型の表示素子からなり、機器ケース５の上部側、つまり羽子板状の大きな外形部分の上面におけるほぼ全域に設けられている。キー入力部７は、テンキー、機能キー、ファンクションキーなどの各種のキーを備え、機器ケース５の下部側、つまり羽子板状の握り部分の上面におけるほぼ全域に設けられている。
【００１４】
また、光学読取部８は、図２に示すように、機器ケース５の上部側における裏面に突出して設けられた収納部１０内に発光素子と受光素子とを窓部に対応させて設け、この発光素子で発光した光を窓部から読取部分に照射し、その反射光を窓部から採り込んで受光素子で受光することにより、読取部分に表示された情報を読み取るように構成されている。また、機器側接続部９は、図２に示すように、第１載置部材３に対し電気的に接続される電極端子１１と、第１載置部材３に対し光通信を行う機器側通信部１２とを備え、これらが機器ケース５の下部側、つまり羽子板状の握り部分の下端面に露出して設けられている。
【００１５】
この携帯端末機１を載置する載置台２の第１載置部材３は、図３に示すように、内部が中空で、全体がほぼ山形状に形成されており、この第１載置部材３の正面には、携帯端末機１の機器ケース５の下部側、つまり羽子板状の握り部分が装着する下部装着凹部１３が設けられている。この下部装着凹部１３は、第１載置部材３の正面側および上部側が開放されていると共に、その右側も切り欠かれて開放され、これにより携帯端末機１の機器ケース５の下部側である羽子板状の握り部分が上方から挿入して、携帯端末機１全体を後方に傾けて起立させた状態で装着するように構成されている。この場合、下部装着凹部１３の底部には、載置側接続部１４が設けられている。
【００１６】
この載置側接続部１４は、図示しないが、接続端子と載置側通信部とを備え、第１載置部材３の下部装着凹部１３に携帯端末機１が装着されたときに、接続端子に携帯端末機１の電極端子１１が接触して電気的に接続されると共に、載置側通信部に携帯端末機１の機器側通信部１２が対応し、この状態で光通信によってデータの授受が行えるように構成されている。また、この第１載置部材３における右側面の下部には、図１に示すように、電源スイッチ１５が設けられていおり、この第１載置部材３の背面における下部には、図４に示すように、コネクタやジャックなどを備えた接続部１６が設けられている。さらに、この第１載置部材３の正面における下部装着凹部１３の下側には、図１および図３に示すように、電源状態や通信状態を表示するランプ部１７が設けられている。
【００１７】
一方、携帯端末機１を固定する第２載置部材４は、図３〜図５に示すように、フロントケース１８とリアケース１９とを備え、これらがほぼ平板状の箱形に形成され、第１載置部材３の背面側に位置した状態で、第１載置部材３の上方に突出するように構成されている。すなわち、フロントケース１８は、図５に示すように、第１載置部材３の背面に対応する下部側が傾斜した取付凹部２０に形成され、この取付凹部２０が図３に示すように第１載置部材３の背面に密着して取り付けられ、これによりフロントケース１８の上部側が第１載置部材３の上方に突出すると共に、フロントケース１８全体が後方に傾いた状態で、第１載置部材３に載置された携帯端末機１とほぼ平行に起立するように構成されている。
【００１８】
この場合、取付凹部２０の上部には、図５および図６に示すように、第１載置部材３の下部装着凹部１３の上端部に挿入して係合する係合片２１が設けられている。また、この取付凹部２０の中間部分には、第１載置部材３の背面に設けられた一対の位置決め突起（図示せず）が挿入する一対の位置決め孔２２が設けられていると共に、ビス２３が挿入する挿入孔２４が設けられている。このビス２３は、図４および図５に示すように、第２載置部材４の背面側から取付凹部２０の挿入孔２４に挿入し、その先端が第１載置部材３のねじ孔（図示せず）に螺入することにより、第２載置部材４を第１載置部材３に取り付ける。なお、この取付凹部２０の下部には、図５および図６に示すように、第１載置部材３の背面に設けられたコネクタやジャックなどの接続部１６に対応する長方形状の開口部２５が設けられている。
【００１９】
また、第１載置部材３の上方に突出したフロントケース１８の上部側における正面には、図５および図６に示すように、携帯端末機１の裏面側の上部が装着する上部装着凹部２６が設けられている。この上部装着凹部２６は、携帯端末機１の裏面に突出して設けられた光学読取部８の収納部１０が嵌合する凹部形状に形成され、その周囲が壁部２７によって下部側を除いて囲われた構成になっている。この上部装着凹部２６の左右両側に位置する壁部２７には、図５に示すように、一対の解除レバー３０および一対のフック部３１が設けられており、上部装着凹部２６の底部には、押出部材３２が設けられている。
【００２０】
一対の解除レバー３０は、図８〜図１０に示すように、それぞれレバー片３３、レバー軸３４、および操作片３５を有し、これが合成樹脂によって一体に形成されている。すなわち、レバー片３３は、レバー軸３４に一体に形成され、上部装着凹部２６の左右両側の壁部２７にそれぞれ設けられた開口部３６に挿入されてフロントケース１８の正面側に露出し、この状態でレバー軸３４を中心に回動するように構成されている。この場合、壁部２７の開口部３６は、図５および図６に示すように、フロントケース１８の左右両側に位置する壁部２７の各外面が半円弧状に切り欠けられて開放され、これによりフロントケース１８の左右両側から手の指が挿入してレバー片３３を押圧操作できるように構成されている。
【００２１】
レバー軸３４は、図８〜図１０に示すように、その両端部がフロントケース１８の内面に形成された支持凹部２８に回動可能に配置され、この状態でレバー片３３を上部装着凹部２６に装着された携帯端末機１に対して接近離間する方向に回動させるように構成されている。操作片３５は、図９および図１０に示すように、レバー片３３に対しほぼ直交する方向に向けてレバー軸３４に一体に形成され、この状態で上部装着凹部２６に向けてフロントケース１８内にほぼ水平に配置され、これによりレバー片３３が上部装着凹部２６に接近する方向に回動したときに、フロントケース１８の背面側（図９では下側）に向けて回動するように構成されている。
【００２２】
また、一対のフック部３１は、図７〜図１１に示すように、それぞれフック軸３７、連動片３８、フック片３９を有し、これが合成樹脂によって一体に形成されている。この場合、フック軸３７は、図７および図８に示すように、フロントケース１８の内面に形成された支持凹部４０に回動可能に配置され、フック片３９を上部装着凹部２６に装着された携帯端末機１に対して接近離間する方向に回動させるように構成されている。連動片３８は、フック軸３７に一体に形成され、図１０に示すように、その上面に解除レバー３０の操作片３５が当接した状態で、フロントケース１８の内部に配置され、これにより解除レバー３０の操作片３５によって押し下げされたときに、フロントケース１８の背面側（図１０では下側）に向けて回動するように構成されている。
【００２３】
フック片３９は、図１１に示すように、連動片３８にほぼ垂直に形成され、その先端部に係止突起３９ａが形成され、フック軸３７を中心に連動片３８が回動することにより、係止突起３９ａが上部装着凹部２６の壁部２７に設けられた矩形孔４１に出没可能に挿入して上部装着凹部２６内に突出するように構成されている。すなわち、このフック片３９は、図１１の右側に示すように、係止突起３９ａが矩形孔４１に挿入されて上部装着凹部２６に突出したときに、携帯端末機１の機器ケース５の両側面に設けられた係合穴４２に挿入して機器ケース５を係止するように構成されている。また、このフック片３９は、図１１の左側に示すように、解除レバー３０の操作片３５によって連動片３８が押されてフック軸３７を中心に回動したときに、係止突起３９ａが矩形孔４１内に没入することにより、係止突起３９ａが機器ケース５の係合穴４２から離脱して機器ケース５に対する係止を解除するように構成されている。
【００２４】
この場合、一対の解除レバー３０および一対のフック部３１は、図７および図８に示すように、１枚の板ばね４３によってそれぞれ所定方向に付勢されている。すなわち、この板ばね４３は、一対の解除レバー３０の操作片３５をそのレバー片３３の解除動作と反対方向（図９では上方）にそれぞれ弾性的に付勢する一対の第１弾性付勢片４４と、一対のフック部３１の連動片３８をそのフック片３９の係止突起３９ａが機器ケース５を係止する係止方向（図１０では上方）にそれぞれ弾性的に付勢する一対の第２弾性付勢片４５とを有し、これら第１、第２弾性付勢片４４、４５を１枚の金属板にほぼＨ字形状に一体に形成した構成になっている。また、この板ばね４３は、図８に示すように、フロントケース１８の内面に形成された補強リブ４６上に配置され、この状態で押え板４７によって押えられてフロントケース１８内に固定されている。なお、押え板４７は、ビス４８によってフロントケース１８の内面に形成された取付ボス４９に取り付けられている。
【００２５】
また、押出部材３２は、図６に示すように、上部装着凹部２６の底部に形成された長方形状の収納凹部５０内に出没可能に配置される押出片５１を備えている。この押出片５１の下面における両側には、図６および図１２に示すように、収納凹部５０の内部両側に設けられた貫通孔５０ａにフロントケース１８の表裏方向（図１２では上下方向）に移動可能に挿入して係止される係止脚５２が形成されており、この押出片５１の下面における中間部には、コイルばね５３が収納凹部５０に設けられたコイルガイド５０ｂによってガイドされた状態で配置されている。
【００２６】
また、この押出片５１の下面には、図１２に示すように、一対のガイドピン５４が収納凹部５０内に設けられたガイド筒部５０ｃに挿入されてガイドされており、この押出片５１の上面には、ゴムなどの緩衝材５５が接着されている。これにより、押出部材３２は、図１２に示すように、コイルばね５３のばね力によって押出片５１が上部装着凹部２６から前方（図１２では上方）に向けて付勢され、この押出片５１が載置台２に装着された携帯端末機１を上部装着凹部２６から押し出して離脱させるように構成されている。
【００２７】
なお、第２載置部材４のリアケース１９における背面の下部には、図４に示すように、第１載置部材３の背面に設けられたコネクタやジャックなどの接続部１６に対応する長方形状の開口部５６がフロントケース１８の開口部２５に対応して設けられている。また、このリアケース１９の背面には、自動車の車内、または室内の壁などに載置台２を取り付けるための第１、第２取付孔５７、５８が設けられている。この第１、第２取付孔５７、５８は、図４に示すように、種類の異なるねじ孔に形成されている。すなわち、第１取付孔５７は、メートルねじで、第２載置部材４のフロントケース１８における背面の４か所に設けられており、第２取付孔５８は、ユニファイねじで、フロントケース１８における背面の２か所に設けられている。
【００２８】
次に、このような携帯機器用載置装置を組み立てる場合について説明する。
この場合には、まず、図６に示すように、第２載置部材４のフロントケース１８の正面側に押出部材３２を取り付けると共に、図７および図８に示すように、フロントケース１８内に一対の解除レバー３０および一対のフック部３１を取り付ける。すなわち、図６および図１２に示すように、押出部材３２を取り付けるときには、フロントケース１８の正面における上部の収納凹部５０内に押出片５１をコイルばね５３と共に収納して、ガイドピン５４を収納凹部５０内のガイド筒部５０ｃに挿入させると共に、係止脚５２を収納凹部５０内の貫通孔５０ａに挿入して係止させる。これにより、押出部材３２をフロントケース１８の収納凹部５０内に取り付けることができる。
【００２９】
この後、図８および図９に示すように、一対の解除レバー３０の各レバー片３３をフロントケース１８の内側から上部装着凹部２６の壁部２７に設けられた開口部３６にそれぞれ挿入させて、レバー軸３４をフロントケース１８内の支持凹部２８に回動可能に配置する。この状態で、図１１に示すように、一対のフック部３１の各フック片３９における先端の係止突起３９ａをフロントケース１８の内側から上部装着凹部２６の壁部２７に設けられた矩形孔４１に挿入させて、図８に示すように、フック軸３７をフロントケース１８内の支持凹部４０に回動可能に配置すると共に、図１０に示すように、連動片３８を解除レバー３０の操作片３５の下面に当接させて配置する。
【００３０】
そして、図８に示すように、板ばね４３をフロントケース１８の内面に形成された補強リブ４６上に配置して、板ばね４３の第１弾性付勢片４４を一対の解除レバー３０の各操作片３５に当接させると共に、第２弾性付勢片４５を一対のフック部３１の各連動片３８に当接させる。そして、図７に示すように、板ばね４３上に押え板４７を配置してビス４８によってフロントケース１８の内面に形成された取付ボス４９に取り付ける。これにより、押え板４７で板ばね４３がフロントケース１８内に固定され、一対の解除レバー３０および一対のフック部３１がそれぞれ回動可能にフロントケース１８内に取り付けられる。このため、一対の解除レバー３０がその解除動作と反対方向にそれぞれ弾性的に付勢され、一対のフック部３１がその係止方向にそれぞれ弾性的に付勢される。
【００３１】
この後、フロントケース１８の背面にリアケース１９を取り付けると、図５に示すように、第２載置部材４が構成される。そして、図３に示すように、この第２載置部材４のフロントケース１８における下部側の取付凹部２０を第１載置部材３の背面に密着させて取り付ける。このときには、まず、図３に示すように、取付凹部２０の上部に設けられた係合片２１を第１載置部材３の下部装着凹部１３の上端部に挿入して係合させ、図５に示すように、取付凹部２０の中間部に設けられた一対の位置決め孔２２に第１載置部材３の背面に設けられた一対の位置決め突起を挿入して位置決めする。この状態で、第２載置部材４の背面側からビス２３を第２載置部材４の挿入孔２４に挿入して第１載置部材３のねじ孔に螺入させる。
【００３２】
これにより、図３に示すように、第２載置部材４が第１載置部材３の上方に突出した状態で第１載置部材３に取り付けられると共に、第２載置部材４全体が後方に傾いて起立した状態で第１載置部材３に取り付けられ、これによって載置台２が構成される。この状態では、載置台２を使用目的に応じて自動車の車内や室内の壁などに取り付けることができる。このときには、このリアケース１９の背面に種類の異なる第１、第２取付孔５７、５８、つまりメートルねじの第１取付孔５７とユニファイねじの第２取付孔５８とが設けられているので、第１、第２取付孔５７、５８のいずれを選択して自動車の車内や室内の壁などに容易に取り付けることができる。
【００３３】
次に、この携帯機器用載置装置を使用する場合について説明する。
まず、携帯端末機１を載置台２に載置する場合には、携帯端末機１の下部側の握り部分を第１載置部材３の下部装着凹部１３に上方から挿入する。すると、携帯端末機１の下部側の握り部分が第１載置部材３の下部装着凹部１３に装着すると共に、携帯端末機１の上部背面が第２載置部材４の上部装着凹部２６に対応し、この状態で携帯端末機１全体が後方に少し傾いて配置される。このときには、携帯端末機１の下端面に設けられた機器側接続部９が下部装着凹部１３の底部に設けられた載置側接続部１４に対応するので、携帯端末機１の機器側接続部９の電極端子１１が載置側接続部１４の接続端子に接触して電気的に接続されると共に、携帯端末機１の機器側通信部１２が載置側接続部１４の載置側通信部に携帯端末機１の機器側通信部１２が光通信によってデータの授受が可能な状態になる。
【００３４】
この状態のときには、携帯端末機１の上部側の背面が第２載置部材４の押出部材３２に当接するので、携帯端末機１の上部側が第２載置部材４の上部装着凹部２６から少し押し出された状態になる。この状態で、押出部材３２のコイルばね５３のばね力に抗して携帯端末機１の上部を第２載置部材４の上部装着凹部２６に押し付けると、携帯端末機１の上部側の背面側が第２載置部材４の上部装着凹部２６内に挿入して嵌合する。このときには、一対のフック部３１における各フック片３９の係止突起３９ａが上部装着凹部２６の壁部２７の矩形孔４１から上部装着凹部２６内に突出しているので、この突出したフック片３９の係止突起３９ａが携帯端末機１の機器ケース５の両側面で押されることになる。
【００３５】
このため、フック片３９が板ばね４３の第２弾性付勢片４５のばね力に抗してフック軸３７を中心に回動し、フック片３９の係止突起３９ａが壁部２７の矩形孔４１内に押し込まれる。そして、携帯端末機１の上部側の背面側が第２載置部材４の上部装着凹部２６内に嵌合すると、フック片３９の係止突起３９ａが携帯端末機１の機器ケース５の両側面に設けられた係合穴４２に対応する。このときには、板ばね４３の第２弾性付勢片４５のばね力によって連動片３８が係止突起３９ａを係止させる方向に付勢されているため、フック片３９がフック軸３７を中心に上記と逆方向に回動し、フック片３９の係止突起３９ａが壁部２７の矩形孔４１から突出して携帯端末機１の機器ケース５の両側面に設けられた係合穴４２に係合する。
【００３６】
これにより、携帯端末機１が載置台２に固定される。この状態では、携帯端末機１の機器ケース５の両側面が一対のフック部３１によって係止され、且つ機器ケース５の上部側の背面が押出部材３２によって載置台２の上部装着凹部２６から押し出される方向に付勢されるので、携帯端末機１を載置台２にガタ付くことなく確実に固定することができる。このため、仮に自動車の車内に載置台２を取り付けて車を走行させても、車の振動によって携帯端末機１が載置台２に対してガタ付いて振動することがない。
【００３７】
次に、携帯端末機１を載置台２から取り外す場合について説明する。
このときには、一対の解除レバー３０が互いに対向する個所、つまり携帯端末機１の上部側を片手で掴む動作をすると、その動作に伴って手の指が自然に一対の解除レバー３０の各レバー片３３に触れるので、一対の解除レバー３０を解除操作することができると共に、この一対の解除レバー３０の解除操作によって一対のフック部３１が携帯端末機１に対する係止を解除することができる。すなわち、第２載置部材４の上部装着凹部２６における左右両側の壁部２７に設けられた開口部３６がそれぞれ半円弧状に切り欠けられて開放されているので、携帯端末機１の上部側を片手で掴むときに、壁部２７の開放された個所を通して手の指が一対の解除レバー３０の各レバー片３３に両側から挟むように触れる。
【００３８】
このように、一対の解除レバー３０の各レバー片３３に手の指が両側から挟むように触れると、レバー片３３を板ばね４３の第１弾性付勢片４４のばね力に抗してレバー軸３４を中心に回動させることができる。これにより、一対の解除レバー３０の各操作片３５がレバー軸３４を中心に回動するので、この操作片３５によって一対のフック部３１の各連動片３８が板ばね４３の第２弾性付勢片４５のばね力に抗して押し下げられる。このため、一対のフック部３１の各フック片３９がフック軸３７を中心に回動するので、フック片３９の係止突起３９ａが携帯端末機１の機器ケース５の両側面に設けられた各係合穴４２から離脱し、一対のフック部３１による携帯端末機１のロックが解除される。
【００３９】
これにより、載置台２に載置されて固定された携帯端末機１を片手で掴む一連の自然な動作によって容易に携帯端末機１のロックを解除して片手で携帯端末機１を片手で掴むことができる。このときには、特に押出部材３２がそのコイルばね５３のばね力によって携帯端末機１を載置台２の上部装着凹部２６から押し出す方向に付勢するので、一対のフック部３１による携帯端末機１のロックが解除されたときに、押出部材３２によって携帯端末機１が載置台２の上部装着凹部２６から押し出されて携帯端末機１が自然に掌に飛び込む。このため、携帯端末機１を片手で掴む一連の自然な動作によって携帯端末機１のロックを解除したときに、携帯端末機１を容易に且つ確実に片手で掴むことができ、これにより携帯端末機１を簡単に且つ安全に取り外すことができる。
【００４０】
また、この携帯機器用載置装置では、携帯端末機１が載置台２に載置されて固定された状態で、一対の解除レバー３０のうち、一方の解除レバー３０が誤って解除操作されても、携帯端末機１が載置台２から離脱することがない。すなわち、一対の解除レバー３０がそれぞれ独立して第２載置部材４に設けられていると共に、一対のフック部３１もそれぞれ独立して携帯端末機１を係脱可能に係止する構成であるから、図１０および図１１に示すように、一対の解除レバー３０のうち、一方（図１０では左側）の解除レバー３０が解除操作されても、これに対応する一方（同図では左側）のフック部３１のみが解除レバー３０の解除動作に連動して携帯端末機１に対する係止を解除するが、他方（同図では右側）の解除レバー３０が動作しないため、これに対応する他方（同図では右側）のフック部３１が携帯端末機１を係止した状態を維持する。このため、一対の解除レバー３０の一方が誤って解除操作されても、携帯端末機１が載置台２から離脱する誤動作を防止することができ、これにより安全性の高いものを得ることができる。
【００４１】
また、この携帯機器用載置装置では、図７および図８に示すように、一対の解除レバー３０および一対のフック部３１をそれぞれ付勢する付勢部材として、板ばね４３を用い、この板ばね４３が、一対の解除レバー３０をその解除動作と反対方向に向けてそれぞれ弾性的に付勢する一対の第１弾性付勢片４４と、一対のフック部３１をその係止方向にそれぞれ弾性的に付勢する一対の第２弾性付勢片４５とを１枚の金属板に一体に形成した構造であるから、一対の解除レバー３０および一対のフック部３１をそれぞれ別部品で弾性的に付勢する構造に比べて、部品点数を削減することができるほか、特に板ばね４３が１枚の金属板で構成されているので、組み立て作業が容易にでき、生産性が良く、低価格化をも図ることができる。
【００４２】
また、この携帯機器用載置装置では、図５および図６に示すように、載置台２に載置されてロックされた携帯端末機１を載置台２から離脱させる方向に付勢する押出部材３２を備え、この押出部材３２が、上部装着凹部２６の底部の収納凹部５０内に配置される押出片５１と、この押出片５１を収納凹部５０内に上下方向に移動可能に係止する係止脚５２と、収納凹部５０に設けられたガイド筒部５０ｃに挿入されてガイドされるガイドピン５４とを一体に形成し、この押出片５１と収納凹部５０との間にコイルばね５３を配置した構成であるから、部品点数が少なく、押出部材３２を上部装着凹部２６に簡単に且つ容易に組み付けることができる。
【００４３】
さらに、この携帯機器用載置装置では、図３に示すように、第２載置部材４を第１載置部材３の背面に取り付けるときに、第２載置部材４のフロントケース１８における下部側の取付凹部２０を第１載置部材３の背面に対応させて、取付凹部２０の上部に設けられた係合片２１を第１載置部材３の下部装着凹部１３の上端部に挿入して係合させると共に、図５に示すように、取付凹部２０の中間部に設けられた一対の位置決め孔２２に、第１載置部材３の背面に設けられた一対の位置決め突起を挿入させて位置決めすると、第２載置部材４の取付凹部２０が第１載置部材３の背面に密着し、この状態で図４に示すように第２載置部材４の背面側から２本のビス２３を第２載置部材４の挿入孔２４に挿入させて第１載置部材３のねじ孔に螺入させるだけで、簡単に取り付けることができる。また、２本のビス２３を取り外すだけで容易に第２載置部材４を第１載置部材３から取り外すことができるので、着脱作業性が良い。
【００４４】
なお、上記実施形態では、載置台２に載置された携帯端末機１を押し出すように付勢する板ばね４３が、一対の解除レバー３０および一対のフック部３１をそれぞれ付勢する第１、第２弾性付勢片４４、４５を１枚の金属板に一体に形成した構造になっているが、これに限らず、例えば押出部材３２のコイルばね５３に代えて、板ばね４３に押出部材３２を付勢する第３の弾性付勢片を一体に形成した構造でも良い。このように構成すれば、より一層、部品点数を削減することができると共に、組み立て作業の簡素化をも図ることができ、これにより生産性の向上および低コスト化をも図ることができる。
【００４５】
また、必ずしも、板ばね４３に第１、第２弾性付勢片４４、４５を一体に形成する必要はなく、例えば、一対の解除レバー３０のみを付勢する第１の板ばねと、一対のフック部３１のみを付勢する第２の板ばねとに分割した構造でも良く、また一対の解除レバー３０および一対のフック部３１のうち、一方側（例えば第２載置部材４の左側）に位置する解除レバー３０とこれに連動するフック部３１とを付勢する第１の板ばねと、他方側（例えば第２載置部材４の右側）に位置する解除レバー３０とこれに連動するフック部３１とを付勢する第２の板ばねとに分割した構造でも良い。
【００４６】
さらに、上記実施形態では、載置台２に載置される携帯機器として、携帯端末機１を用いた場合について述べたが、これに限らず、例えば携帯電話機やＤＰＡ（パーソナル・デジタル・アシスタント）などの携帯機器にも広く適用することができる。
【００４７】
【考案の効果】
以上説明したように、この考案によれば、携帯機器が搭載される載置部と、この載置部に載置された携帯機器の両側面に対向して載置部にそれぞれ独立して設けられ、携帯機器を片手で掴む動作によって解除操作される一対の解除レバーと、載置部に載置された携帯機器をそれぞれ独立して係脱可能に係止すると共に、一対の解除レバーの解除動作によって携帯機器に対する係止を解除する一対のフック部とを備えたので、載置部に載置されて固定された携帯機器を載置部から取り外すときに、一対の解除レバーが互いに対向する個所で携帯機器を片手で掴む動作をすると、その動作に伴って手の指が自然に一対の解除レバーに触れるので、一対の解除レバーを解除操作することができると共に、この一対の解除レバーの解除操作によって一対のフック部が携帯機器に対する係止を解除するので、携帯機器を片手で掴む一連の自然な動作によって容易に携帯機器のロックを解除して片手で携帯機器を掴むことができ、これにより携帯機器を載置部から簡単に且つ安全に取り外すことができる。
【００４８】
この場合、特に一対の解除レバーがそれぞれ独立して載置部に設けられていると共に、一対のフック部もそれぞれ独立して携帯機器を係脱可能に係止する構成であることにより、一対の解除レバーのうち、一方の解除レバーが解除操作されても、一対のフック部のうち、一方のフック部のみが携帯機器に対する係止を解除するが、他方の解除レバーが動作しないため、他方のフック部が携帯機器を係止した状態を維持することができ、このため一対の解除レバーの一方が誤って解除操作されても、携帯機器が載置部から離脱する誤動作を防止することができ、これにより安全性の高いものを得ることができる。
【００４９】
また、付勢部材が、一対の解除レバーをその解除動作と反対方向に向けてそれぞれ付勢する一対の第１弾性付勢片と、一対のフック部をその係止方向にそれぞれ付勢する一対の第２弾性付勢片とを１枚の金属板に一体に形成した構成であることにより、一対の解除レバーおよび一対のフック部をそれぞれ別部品で弾性的に付勢する構造に比べて、部品点数を削減することができるほか、特に付勢部材が１枚の金属板で構成されているので、組み立て作業が容易にでき、生産性が良く、低価格化をも図ることができる。
【００５０】
さらに、携帯機器を載置部から離脱させる方向に付勢する押出部材を備えていることにより、一対の解除レバーが互いに対向する個所で携帯機器を片手で掴む動作によって、一対の解除レバーを解除操作して一対のフック部による携帯機器の係止を解除すると、押出部材によって携帯機器が載置部から離脱する方向に押し出されて掌に飛び込むので、携帯機器を片手で掴む一連の自然な動作によって携帯機器のロックを解除したときに、携帯機器を確実に掴むことができ、これによっても携帯機器を容易に且つ安全に取り外すことができる。
【図面の簡単な説明】
【図１】この考案の携帯機器用載置装置の一実施形態において携帯端末機を載置した状態を示した外観斜視図。
【図２】図１の携帯端末機の外観斜視図。
【図３】図１において携帯端末機を取り外した状態の載置台を示した外観斜視図。
【図４】図３の載置台を背面側から見た斜視図。
【図５】図３における載置台の第２載置部材を示した外観斜視図。
【図６】図５の第２載置部材のフロントケースを示した一部分解斜視図。
【図７】図６のフロントケースを背面側から見た斜視図。
【図８】図７の要部を分解した斜視図。
【図９】図５において一対の解除レバーが対向する個所における要部の拡大断面図。
【図１０】図５において一対の解除レバーと一対のフック部との両者の個所における要部の拡大断面図。
【図１１】図５において一対のフック部が対向する個所における要部の拡大断面図。
【図１２】図５において押出部材の個所における要部の拡大断面図。
【符号の説明】
１　携帯端末機
２　載置台
３　第１載置部材
４　第２載置部材
５　機器ケース
６　表示部
７　キー入力部
１３　下部装着凹部
１８　フロントケース
１９　リアケース
２０　取付凹部
２１　係合片
２２　位置決め孔
２３　ビス
２６　上部装着凹部
３０　一対の解除レバー
３１　一対のフック部
３２　押出部材
３３　レバー片
３４　レバー軸
３５　操作片
３６　開口部
３７　フック軸
３８　連動片
３９　フック片
３９ａ　係止突起
４１　矩形孔
４２　係合穴
４３　板ばね
４４　第１弾性付勢片
４５　第２弾性付勢片
５１　押出片
５２　係止脚
５３　コイルばね
【図１】
0003097454.tif 000003
【図２】
0003097454.tif 000004
【図３】
0003097454.tif 000005
【図４】
0003097454.tif 000006
【図５】
0003097454.tif 000007
【図６】
0003097454.tif 000008
【図７】
0003097454.tif 000009
【図８】
0003097454.tif 000010
【図９】
0003097454.tif 000011
【図１０】
0003097454.tif 000012
【図１１】
0003097454.tif 000013
【図１２】
0003097454.tif 000014